(57)【要約】【課題】  外部ネットワークと通信が許可されたネットワーク機器と、許可されていないネットワーク機器の両方を含むネットワークにおいて、外部ネットワークと接続するルーターの負担を軽減するネットワークを提供する。【解決手段】  第１サブネットのネットワーク機器から、外部ネットワーク接続の要求を受けると、要求があったネットワーク機器のＩＰアドレスを第１サブネットのアドレスから第２サブネットのアドレスに設定変更し、要求があったネットワーク機器のデフォルトゲートウェイアドレスを、アドレス付与サーバのＩＰアドレスからルーターのＩＰアドレスに設定変更するアドレス付与サーバーを用いる。【選択図】図１
2006080789.tif 000002
【特許請求の範囲】
【請求項１】
ひとつ又は複数のネットワーク機器を含む第１サブネットと、
ひとつ又は複数のネットワーク機器を含む第２サブネットと、
第１サブネットと第２サブネットのネットワーク機器にアドレスを付与するアドレス付与サーバと、
外部ネットワークに接続するルーターと
を有し、
第２サブネットのネットワーク機器には、データ送信または受信先情報としてルーターのＩＰアドレスが設定されていることを特徴とするネットワークシステム。
【請求項２】
更に第１サブネットのネットワーク機器には、データ送信または受信先情報としてアドレス付与サーバのＩＰアドレスが設定されていることを特徴とする請求項１記載のネットワークシステム。
【請求項３】
前記アドレス付与サーバーは、ＤＨＣＰとコントローラを有することを特徴とする請求項１記載のネットワークシステム。
【請求項４】
第１サブネットと第２サブネットのネットワーク機器は、伝送路で接続されていることを特徴とする請求項１記載のネットワークシステム。
【請求項５】
更に、ひとつ又は複数のネットワーク機器を含む第３サブネットと、
上記外部ネットワークとは別の第２の外部ネットワークに接続する第２のルーターと
を有し、
第３サブネットのネットワーク機器には、データ送信または受信先情報として第２のルーターのＩＰアドレスが設定されていることを特徴とする請求項１記載のネットワークシステム。
【請求項６】
請求項１記載のネットワークシステムの制御方法であって、
第１サブネットのネットワーク機器から、外部ネットワーク接続の要求を受けるステップと、
前記要求があったネットワーク機器のＩＰアドレスを第１サブネットのアドレスから第２サブネットのアドレスに設定変更するステップと、
前記要求があったネットワーク機器のデータ送信または受信先情報を、ルーターのＩＰアドレスに設定するステップ
を有することを特徴とするネットワークシステムの制御方法。
【請求項７】
更に、新規ネットワーク機器の接続があれば、新規ネットワーク機器のＩＰアドレスを第１サブネットのアドレスとするステップと、
新規ネットワーク機器のデータ送信または受信先情報を、アドレス付与サーバのＩＰアドレスとするステップ
を有することを特徴とする請求項６記載のネットワークシステムの制御方法。
【請求項８】
更に、前記要求があったネットワーク機器の認証を行うステップを有することを特徴とする請求項６記載のネットワークシステムの制御方法。
【請求項９】
請求項１記載のネットワークシステムを制御するアドレス付与サーバーであって、
第１サブネットのネットワーク機器から、外部ネットワーク接続の要求を受ける手段と、
前記要求があったネットワーク機器のＩＰアドレスを第１サブネットのアドレスから第２サブネットのアドレスに設定変更する手段と、
前記要求があったネットワーク機器のデータ送信または受信先情報を、ルーターのＩＰアドレスに設定する手段
を有することを特徴とするアドレス付与サーバー。
【請求項１０】
更に、新規ネットワーク機器の接続があれば、新規ネットワーク機器のＩＰアドレスを第１サブネットのアドレスとする手段と、
新規ネットワーク機器のデータ送信または受信先情報を、アドレス付与サーバのＩＰアドレスとする手段
を有することを特徴とする請求項９記載のアドレス付与サーバー。
【請求項１１】
更に、前記要求があったネットワーク機器の認証を行う手段を有することを特徴とする請求項９記載のアドレス付与サーバー。
【発明の詳細な説明】
【技術分野】
【０００１】
本発明は、情報保護、不正なアクセス、セキュリティを向上する、複数のサブネットを有するネットワークシステム、その制御方法、およびアドレス付与サーバーに関する。
【背景技術】
【０００２】
現在普及している標準的なネットワークは、RFC-791「INTERNET PROTOCOL」に定められた技術に基づいて、複数のネットワーク機器の間で、データの送信、受信がなされている。このデータを間違いなく正しい相手と送信、受信するため、ネットワーク機器のそれぞれに固有のＩＰアドレスが割り付けられる。このＩＰアドレスを用いて、異なるネットワーク機器間の通信が可能になる。
【０００３】
また、共通の伝送路を有するひとつのネットワーク内に存在するネットワーク機器間で通信を行う場合は、直接通信ができるが、ネットワークから外にある外部ネットワークと通信を行う場合は、特別なＩＰアドレスが割り付けられたルーターを経由して通信する。
【０００４】
このルーターは、ゲートウェイまたは、スイッチと呼ばれるネットワーク機器で構成され、ネットワークに含まれるネットワーク機器からのデータを外部ネットワークに送り出すための中継を行う。ルーターの中継をルーティングと言う。
【０００５】
このように、ネットワークにルーターを接続すれば、ネットワークに含まれるネットワーク機器から外部ネットワークとの通信を自由に行うことが可能になる。
【０００６】
ところで、同じネットワーク内に含まれるネットワーク機器であっても、外部ネットワークとの通信が許可されたネットワーク機器と、許可されていないネットワーク機器が含まれることがある。この場合、ルーターは、送信元のネットワーク機器のＩＰアドレスをチェックし、外部ネットワークとの通信が許可されたネットワーク機器からのデータであれば中継を行い、許可されていないネットワーク機器からのデータであれば遮断する。このように、ルーターに、中継、遮断のスイッチング機能を持たせたものが知られている。たとえば、特開平１１−５５３０２号明細書に中継、遮断のスイッチング機能を持たせたスイッチングハブが紹介されている。
【０００７】
【特許文献１】特開平１１−５５３０２号公報
【発明の開示】
【発明が解決しようとする課題】
【０００８】
中継、遮断のスイッチング機能を持たせたルーターは、通信データが送られてくるとそのデータを分析し、送信元のネットワーク機器を特定し、そのネットワーク機器は外部ネットワークとの通信が許可されたものか否かの判断を行う。この判断はたとえば、ルーターに設けられたテーブルを参照して行う。このような分析、判断をルーターが行うため、通信データがルーターを通過するのに時間がかかる。すなわち単位時間あたりの通過可能な情報量が少なくなる。これによりネットワークの通信速度が遅くなる問題があった。
【０００９】
更に、中継、遮断のスイッチング機能を持たせたルーターは、通信が許可されるネットワーク機器が追加されたり、削除されたりするたびごとに、テーブルを更新する必要があるので、ルーターは非常に高価なものになっていた問題があった。
【課題を解決するための手段】
【００１０】
本発明は、上記問題点を解決するためになされたもので、本発明に係るネットワークシステムは、ひとつ又は複数のネットワーク機器を含む第１サブネットと、ひとつ又は複数のネットワーク機器を含む第２サブネットと、第１サブネットと第２サブネットのネットワーク機器にアドレスを付与するアドレス付与サーバと、外部ネットワークに接続するルーターとを有し、第２サブネットのネットワーク機器には、データ送信または受信先情報としてルーターのＩＰアドレスが設定されていることを特徴とするものである。
【００１１】
また、本発明に係る上記記載のネットワークシステムの制御方法は、第１サブネットのネットワーク機器から、外部ネットワーク接続の要求を受けるステップと、前記要求があったネットワーク機器のＩＰアドレスを第１サブネットのアドレスから第２サブネットのアドレスに設定変更するステップと、前記要求があったネットワーク機器のデータ送信または受信先情報を、ルーターのＩＰアドレスに設定するステップを有することを特徴とするものである。
【００１２】
更に、本発明に係るアドレス付与サーバーは、上記記載のネットワークシステムを制御するものであって、第１サブネットのネットワーク機器から、外部ネットワーク接続の要求を受ける手段と、前記要求があったネットワーク機器のＩＰアドレスを第１サブネットのアドレスから第２サブネットのアドレスに設定変更する手段と、前記要求があったネットワーク機器のデータ送信または受信先情報を、ルーターのＩＰアドレスに設定する手段を有することを特徴とするものである。
【発明の効果】
【００１３】
本発明に係るネットワークシステムは、中継、遮断のスイッチング機能を持たせたルーターを必要とせず、単に送られてきたデータをすべて中継する単純なルーターを用いることができる。このような単純なルーターを用いても、外部ネットワークと通信が許可されたネットワーク機器と、許可されていないネットワーク機器の両方を、混在してネットワークに含めることができる。
【００１４】
また、ルーターが中継するデータは、ルーターにおいて分析、判断がなされることが無いので、ルーターにおける通信速度の低減は発生しない。
【００１５】
更に、既存のネットワークであって、単純なルーターを用いているものであっても、本発明のアドレス付与サーバーを用いれば、外部ネットワークと通信が許可されたネットワーク機器と、許可されていないネットワーク機器の両方を含むネットワークを簡単に構築することができる。
【発明を実施するための最良の形態】
【００１６】
図１は、本発明に係るネットワークシステムの基本構成を示す。２は、伝送路３に接続されたネットワーク機器Ａ１，Ａ２，・・・Ａｉ−１で構成されるサブネットＡ（点線で示すネットワーク機器Ａｉ，・・・Ａｍは、更に接続可能な機器を示す。）、４は、伝送路３に接続されたネットワーク機器Ｂ１，Ｂ２，・・・Ｂｊ−１（点線で示すネットワーク機器Ｂｊ，・・・Ｂｎは、更に接続可能な機器を示す。）で構成されるサブネットＢ、６は、ネットワーク機器にＩＰアドレスを付与するアドレス付与サーバで、ＤＨＣＰ（動的ホスト構成プロトコル）サーバ８とコントローラ１０を含むもの、１２は、ルーター（レイヤー３スイッチ）で、外部ネットワーク１４との接続を行うものである。
【００１７】
本発明のネットワークシステムは、サブネットを利用する。サブネットは、RFC-917「INTERNET SUBNETS」で規定されており、サブネット内に存在するネットワーク機器間での通信は、直接通信ができる一方、サブネットから外にある外部ネットワークとの通信は、特別なＩＰアドレスが割り付けられたルーターを経由して行う。また、本発明で言うネットワークとは、共通の伝送路に接続された複数のネットワーク機器で構成された集合体を言う。図１の場合、サブネットＡおよびＢに含まれるネットワーク機器と、アドレス付与サーバ６とルーター１２が共通の伝送路３で接続されており、これらの集合体をネットワークと言う。
【００１８】
サブネットＡには、最大ｍ個のＩＰアドレスを振り分けることができるので、最大Ａ１からＡｍまでのｍ台のネットワーク機器を伝送路３に接続することができる。図１に示す例においては、Ａ１からＡｉ−１までの（ｉ−１）台のネットワーク機器が伝送路３に接続されている。サブネットＡに含まれるネットワーク機器は、サブネットＡに含まれるネットワーク機器相互間のみで通信可能な設定になっている。ここで言うネットワーク機器は、パソコンはもちろん、その他ＬＡＮに接続可能な機器を含む。また、符号Ａ１からＡｍは、サブネットＡに含まれるネットワーク機器の参照符号として用いられると共に、サブネットＡに含まれるネットワーク機器に割り当てられたＩＰアドレスを表すものとしても用いられる。
【００１９】
図５は、サブネットＡに含まれるネットワーク機器Ａｘ（ｘは、１からｍまでの任意の数字）の設定内容が示されている。ネットワーク機器Ａｘは、ＩＰアドレスとしてＡｘが設定され、サブネットマスクとして、サブネットＡのサブネットマスクが設定され、デフォルトゲートウェイアドレス（デフォルトルーターアドレスとも言う）として、アドレス付与サーバ６のＩＰアドレスが設定されている。デフォルトゲートウェイアドレスとは、そのネットワーク機器Ａｘがデータを送り出したり、受け取る相手の機器のアドレス、すなわちデータ送信または受信先情報を言う。従って、サブネットＡに含まれるネットワーク機器Ａｘが伝送路３を介して送り出すデータは、アドレス付与サーバ６に送られる。言い換えれば、サブネットＡに含まれるネットワーク機器Ａｘからのデータは、ルーター１２に送られないので、外部ネットワーク１４に送り出されることはない。
【００２０】
なお、サブネットＡに含まれるネットワーク機器Ａｘは、デフォルトゲートウェイアドレス（デフォルトルーターアドレスとも言う）として、何も設定しない用にすることも可能である。
【００２１】
一方、サブネットＢには、最大ｎ個のＩＰアドレスを振り分けることができるので、最大Ｂ１からＢｎまでのｎ台のネットワーク機器を伝送路３に接続することができる。図１に示す例においては、Ｂ１からＢｊ−１までの（ｊ−１）台のネットワーク機器が伝送路３に接続されている。サブネットＢに含まれるネットワーク機器は、サブネットＢに含まれるネットワーク機器相互間のみならず、ルーター１２を介して外部ネットワーク１４と通信可能な設定になっている。
【００２２】
図６は、サブネットＢに含まれるネットワーク機器Ｂｙ（ｙは、１からｎまでの任意の数字）の設定内容が示されている。ネットワーク機器Ｂｙは、ＩＰアドレスとしてＢｙが設定され、サブネットマスクとして、サブネットＢのサブネットマスクが設定され、デフォルトゲートウェイアドレス、すなわちデータ送受信先情報として、ルーター１２のＩＰアドレスが設定されている。従って、サブネットＢに含まれるネットワーク機器Ｂｙが伝送路３を介して送り出すデータは、ルーター１２に送られ、更に、外部ネットワーク１４に送り出される。
【００２３】
図２は、新規にネットワーク機器Ｘが伝送路３に接続された状態を示す。この場合、アドレス付与サーバ６は、図７に示す動作を行う。すなわち、アドレス付与サーバ６において、ＤＨＣＰ８は、コントローラ１０の制御を受けて所定のアドレス付与動作を行う。
【００２４】
図７において、ステップＳ１で、新規ネットワーク機器Ｘが接続されたかどうかが判断される。新規ネットワーク機器Ｘが接続されれば、ステップＳ２で、機器Ｘに対しサブネットＡのＩＰアドレスが付与され、ステップＳ３で、デフォルトゲートウェイアドレスとして、アドレス付与サーバ６のＩＰアドレスが設定される。すなわち、ステップＳ２、Ｓ３では、図５で示される設定がなされる。なお、ステップ３は、省略することができる。たとえば、サブネットＡにおいて、ＩＰアドレスＡｉが未使用であれば、ＤＨＣＰ８は、新規ネットワーク機器Ｘに対し、ＩＰアドレスＡｉを付与する。この状態が図３に示されている。このように新たなネットワーク機器が接続されれば、まずサブネットＡに属する機器として設定される。また、ＤＨＣＰ８は、新規ネットワーク機器Ｘに対し、リース時間Ｌａ（ＤＨＣＰ８がＩＰアドレスＡｉの使用許可を認める時間）を設定する。本発明においては、サブネットＡのリース時間は５分以内の時間、たとえば１分又は３０秒、に設定される。
【００２５】
次に、サブネットＡに属するネットワーク機器のいずれか、たとえば機器Ａｉが外部ネットワーク１４との通信を要求した場合、アドレス付与サーバ６は、図８に示す動作を行う。
【００２６】
図８において、ステップＳ１１で、サブネットＡに含まれるネットワーク機器のいずれか、たとえば機器Ａｉが、外部ネットワーク１４との接続を要求しているかどうかの判断がなされる。要求があれば、ステップＳ１２で、要求があったネットワーク機器は、所定の要件を満たしているかどうかの判断がなされる。所定の要件としては、たとえば、必要な認証ができたかどうかの判断や、ＩＤ番号やパスワードが正しく入力されているかどうかの判断がなされる。より詳しく説明すると、たとえば、機器Ａｉから外部ネットワーク１４との接続要求をアドレス付与サーバ６のコントローラ１０に送ると、コントローラ１０は、機器ＡｉにＩＤ番号とパスワードを入力するＵＲＬを送る。機器Ａｉから送られたＩＤ番号やパスワードが正しくなければ、ステップＳ１３に進み、ＩＰアドレスの変更をせず、図５で示して設定をそのまま継続して使用する。機器Ａｉから正しいＩＤ番号とパスワードが送られてくれば、ステップＳ１４に進む。ステップＳ１４では、コントローラ１０は、ＤＨＣＰ８に指令を出し、機器ＡｉのＩＰアドレスをサブネットＡのアドレスＡｉからサブネットＢのアドレスＢｊに変更する。また、続いてステップＳ１５で、デフォルトゲートウェイアドレスを、ルーター１２のＩＰアドレスに設定する。すなわち、ステップＳ１４，Ｓ１５で、機器Ａｉの設定は、図５に示す設定から図６に示す設定に変更される。また、ＤＨＣＰ８は、ネットワーク機器Ａｉに対し、新たなリース時間Ｌｂ（ＤＨＣＰ８がＩＰアドレスＢｊの使用許可を認める時間）を設定する。本発明においては、サブネットＢのリース時間は５分以上の時間、たとえば１時間または１日、若しくはそれ以上に設定される。すなわち、サブネットＢのリース時間は、サブネットＡのリース時間よりも大きく設定されている。たとえばサブネットＡのリース時間は１分以内であるのに対し、サブネットＢのリース時間は日単位である。
【００２７】
変更後の状態が図４に示されている。すなわちサブネットＡに属していたネットワーク機器Ａｉは、アドレス付与サーバ６により、外部ネットワークとの接続要求が認められれば、サブネットＢに属するネットワーク機器Ｂｊに設定が変えられる。なお、必要であれば、ステップ１４を省略することも可能である。
【００２８】
図１１は、サブネットＡに属する機器ＡｉがサブネットＢに属する機器Ｂｊに変更される過程を示している。時刻Ｔ１でリース時間が満了すると、機器Ａｉは、ＤＨＣＰ８にＩＰアドレスＡｉの継続使用の要求を出し、ＤＨＣＰ８は、ＩＰアドレスＡｉの継続使用を許可する。同様に、時刻Ｔ２で次のリース時間が満了すると、機器Ａｉは、ＤＨＣＰ８にＩＰアドレスＡｉの継続使用の要求を出し、ＤＨＣＰ８は、ＩＰアドレスＡｉの継続使用を許可する。時刻Ｔ３において、機器Ａｉは、コントローラ１０に外部ネットワーク１４との接続要求を伝送路３を介して出す。この外部接続要求がコントローラ３に送られるのは、機器Ａｉのデフォルトゲートウェイアドレスとして、アドレス付与サーバー６のＩＰアドレスが設定されているからである。時刻Ｔ４でコントローラ１０は、機器Ａｉに対し、認証に必要な情報、たとえばＩＤ番号、パスワードなどを求める。時刻Ｔ５で機器Ａｉは、コントローラ１０に、認証に必要な情報を送る。正しく認証ができれば、時刻Ｔ６でコントローラ１０は、ＤＨＣＰ８に、機器ＡｉのサブネットＡからサブネットＢに設定変更する指示を出す。リース時間が満了する時刻Ｔ７で、ＤＨＣＰ８は、機器Ａｉの設定をサブネットＡからサブネットＢに変更する。すなわち、ＩＰアドレスがＡｉからＢｊに変更され、デフォルトゲートウェイアドレスとしてルーター１２のＩＰアドレスが設定され、リース時間が１日などの長い時間に設定される。このようにサブネットＡの機器に対しては、リース時間Ｌａを短く設定したのは、機器Ａｉからの外部ネットワーク１４との接続要求が出てから実際に設定が変更されるまでの時間が、一番長い場合でＬａになるので、Ｌａを短くして、速やかな設定変更を可能にするためである。
【００２９】
以上の説明では、機器Ａｉからの外部ネットワーク１４との接続要求は、伝送路３を通じて、機器Ａｉからコントローラ１０になされた場合を説明したが、この外部接続要求は、伝送路３を用いない場合も可能である。機器Ａｉのデフォルトゲートウェイアドレスとして、アドレス付与サーバー６のＩＰアドレスが設定されていない場合、機器Ａｉの操作者は、直接アドレス付与サーバー６のキーボードを用いて、コントローラ１０に対し、機器Ａｉを特定する情報を入力すると共に、外部接続要求を入力し、更に認証に必要な情報を入力する。これにより、コントローラ１０は、ＤＨＣＰ８に、機器ＡｉのサブネットＡからサブネットＢに設定変更する指示を出す。
【００３０】
また、外部接続要求または認証に必要な情報がＩＣカードに記録され、コントローラ１０に設けたＩＣカードリーダでＩＣカードを読み取ることで、コントローラ１０は、ＤＨＣＰ８に、機器ＡｉのサブネットＡからサブネットＢに設定変更する指示を出すことも可能である。
【００３１】
更に、外部接続要求または認証に必要な情報がＩＣカードに記録され、機器Ａｉに設けたＩＣカードリーダでＩＣカードを読み取り、この情報をコントローラ１０に送ることで、コントローラ１０は、ＤＨＣＰ８に、機器ＡｉのサブネットＡからサブネットＢに設定変更する指示を出すことも可能である。
【００３２】
また、認証は、ＩＣカード以外に、磁気カード、バイオメトリクス検出装置、簡単なスイッチ装置を用いることも可能である。
【００３３】
更に、図１２に示すように、アドレス付与サーバー２６をサブネットＡに含むように構成すれば、機器Ａｉとアドレス付与サーバー２６とは、デフォルトゲートウェイアドレスを設定することなく、伝送路３を介して通信することができる。
【００３４】
なお、ステップＳ１２の所定の要件は、禁止解除要件などの要件であってもよい。また、要件は全くなくてもよい。この場合は、ステップＳ１２を省くことができる。
【００３５】
図８のフローチャートを用いて、ネットワーク機器がサブネットＡからサブネットＢに変更される場合を説明したが、次にネットワーク機器がサブネットＢからサブネットＡに変更される場合を説明する。
【００３６】
図９において、ステップＳ２１でサブネットＢに含まれるネットワーク機器のいずれかが、外部接続維持条件を満たさなくなったかどうかの判断がなされる。外部接続維持条件とは、たとえば、接続のための期限、接続回数などに基づく条件を言う。その他、種々の条件が考えられる。外部接続維持条件を満たしていないと判断されれば、ステップＳ２２に進む。ステップＳ２２で外部接続維持条件を満たさなくなったネットワーク機器のＩＰアドレスをサブネットＢのアドレスからサブネットＡのアドレスに変更する。続いて、ステップＳ２３でデフォルトゲートウェイアドレスを、ルーター１２のＩＰアドレスからアドレス付与サーバ６のＩＰアドレスに変更する。すなわち、ステップＳ２２，Ｓ２３で、ネットワーク機器の設定を、図６に示す設定から図５に示す設定に変更される。
【００３７】
図１０は、本発明に係るネットワークシステムの変形例を示す。図１のネットワークシステムでは２つのサブネットＡ，Ｂを有していたが、図１０のネットワークシステムでは３つのサブネットＡ，Ｂ，Ｃを有している。更に第２番目のルーター１７と、ルーター１７に接続されたデータベース１８を有する。また、ルーター１７は外部ネットワーク１４にも接続されている。ここで外部ネットワーク１４は、インターネットであってもよいし、データベースであってもよい。また、データベース１８もインターネットであってもよい。従って、広い意味では、外部ネットワーク１４を第１外部ネットワークとし、データベース１８を第２外部ネットワークとすることができる。この場合、第１外部ネットワークと第２外部ネットワークは、異なったネットワークである。
１６で示されるサブネットＣには最大ｋ個のＩＰアドレスを振り分けることができるので、最大Ｃ１からＣｋまでのｋ台のネットワーク機器を伝送路３に接続することができる。サブネットＣに含まれるネットワーク機器は、サブネットＣに含まれるネットワーク機器相互間の通信、外部ネットワーク１４との通信、更にデータベース１８との通信が可能な設定になっている。
【００３８】
サブネットＣに含まれるネットワーク機器Ｃｚ（ｚは、１からｋまでの任意の数字）は、ＩＰアドレスとしてＣｚが設定され、サブネットマスクとして、サブネットＣのサブネットマスクが設定され、デフォルトゲートウェイアドレスとして、ルーター１７のＩＰアドレスが設定される。従って、サブネットＣに含まれるネットワーク機器Ｃｚが伝送路３を介して送り出すデータは、ルーター１７に送られ、外部ネットワーク１４とデータベース１８のいずれにも送信可能である。
【００３９】
図１０の場合の動作は次の通りである。
【００４０】
サブネットＡまたはＢに含まれるネットワーク機器のいずれかが、外部ネットワーク１４とデータベース１８との接続を要求しているかどうかの判断がなされる。要求があれば、要求があったネットワーク機器は、所定の要件を満たしているかどうかの判断がなされる。所定の要件を満たしておれば、ＩＰアドレスをサブネットＡまたはＢのアドレスからサブネットＣのアドレスに変更する。また、続いてデフォルトゲートウェイアドレスを、アドレス付与サーバ６またはルーター１２のＩＰアドレスからルーター１７のＩＰアドレスに変更する。言うまでもなく、所定の要件を満たしているかどうかの判断は、省略することが可能である。
【産業上の利用可能性】
【００４１】
本発明は、ネットワークシステムおよびその制御方法に利用できる。
【図面の簡単な説明】
【００４２】
【図１】本発明に係るネットワークシステムの基本構成を示すブロック図
【図２】本発明に係るネットワークシステムの動作説明図
【図３】本発明に係るネットワークシステムの動作説明図
【図４】本発明に係るネットワークシステムの動作説明図
【図５】本発明に係るサブネットＡの設定内容を示したテーブル
【図６】本発明に係るサブネットＢの設定内容を示したテーブル
【図７】本発明に係るネットワークシステムに新規ネットワーク機器が接続された場合の動作を示すフローチャート
【図８】本発明に係るサブネットＡの機器が、サブネットＢの機器に設定変更される動作を示すフローチャート
【図９】本発明に係るサブネットＢの機器が、サブネットＡの機器に設定変更される動作を示すフローチャート
【図１０】本発明に係るネットワークシステムの変形例を示すブロック図
【図１１】本発明に係るサブネットＡの機器が、サブネットＢの機器に設定変更される過程を示すタイムチャート
【図１２】図１の変形例を示すブロック図
【符号の説明】
【００４３】
２  サブネットＡ
３  伝送路
４  サブネットＢ
６  アドレス付与サーバ
８  ＤＨＣＰ
１０  コントローラ
１２  ルーター
１４  外部ネットワーク
【図１】
2006080789.tif 000003
【図２】
2006080789.tif 000004
【図３】
2006080789.tif 000005
【図４】
2006080789.tif 000006
【図５】
2006080789.tif 000007
【図６】
2006080789.tif 000008
【図７】
2006080789.tif 000009
【図８】
2006080789.tif 000010
【図９】
2006080789.tif 000011
【図１０】
2006080789.tif 000012
【図１１】
2006080789.tif 000013
【図１２】
2006080789.tif 000014